(57)【要約】【課題】ダーティ液からクリーン液の回収効率を維持しながらクリーン液に発生する泡を除去・消滅させることを可能とするサイクロン型濾過装置を提供する。【解決手段】サイクロン型濾過装置２の排出口２５に接続して使用されるホースについて湾曲部１８ａを有するように配することで、ホース体内の流体の流れを変更することでホース内に旋回流を発生させない構造とする。【選択図】    図１
2007253048.tif 000002
【特許請求の範囲】
【請求項１】
円筒部とこの円筒部から下方に向かって内径が細くなる円錐部を有し、下端に流体が排出される排出口が設けられたサイクロン機構と、異物を含んだダーティ液を前記サイクロン機構内で旋回流を生じさせるように導入するダーティ液導入管と、サイクロン機構天井部の中央部に上下に延びるように配置される溢流上昇管とを備えたサイクロン型濾過装置に対して、
前記排出口に連結され、内部に生じる旋回流の流れを変化させる湾曲部が形成されたホース体を具備することを特徴とするサイクロン型濾過装置。
【請求項２】
前記ホース体の旋回流の流れを変化させる手段として、前記ホース体を１回以上巻回されて螺旋状に配置して成る請求項１に記載のサイクロン型濾過装置。
【発明の詳細な説明】
【技術分野】
【０００１】
本発明は、研削油或いは切削油を供給しながら金属等を工作機械によって研削・切削等の加工作業を行う時に排出する微細切粉を混入した研削・切削油（以下、ダーティ液という）を遠心分離作用によって微細切粉を分離した研削・切削油（以下、クリーン液という）を採取するサイクロン型濾過装置に関する。
【背景技術】
【０００２】
ダーティ液中からダーティ液中に混入した切粉を分離してクリーン液を採取するのに濾過部をサイクロン機構とした構成から成るサイクロン型濾過装置を用いることはこれまで業界で使用されている。サイクロン型濾過装置を用いてダーティ液からクリーン液を採取する作業を行うときはサイクロン型濾過装置から大量の泡が発生し、周囲を汚してしまうという不都合が生じる。その不都合を解消するためのサイクロン型濾過装置が開発された。それが特開２００３−２１０９０８号公報に開示されている。ところが、前記公報に開示されたサイクロン型濾過装置においても、同装置の操作中に濾過部であるサイクロン機構から排出されるクリーン液中に泡が発生するのを阻止するのに十分な機能は発揮できない。
従って、前記発明を実施した装置でも前記不都合を解消することはできない。
【０００３】
本願出願人が開発したサイクロン型濾過装置２を図２に図示する。この装置は、密閉ハウジング２０内に、従来のサイクロン型濾過装置を収容して成るものである。この装置の稼働は、ポンプ（図示せず）を介してダーティ液を密閉ハウジング２０を貫通して配されたダーティ液導入管２２からサイクロン型濾過装置の濾過部であるサイクロン機構２１内に継続圧送入を行う。サイクロン機構の下端の排出口２５からは濾過済液が流出するようになっている。そのダーティ液はサイクロン機構２１の円筒部２１ａ及び円錐部２１ｂ内を円錐部２１ｂ下端に配した小口の排出口２５側に向かった螺旋状に回転する旋回流となる。この旋回流による遠心力によって、ダーティ液中に混入された微細切粉は、ダーティ液から分離し、ダーティ液の旋回流の外側方に押しやられ、濾過部であるサイクロン機構２１の内壁面に沿って円錐部２１ｂの下方に移動し、濃縮されたダーティ液の旋回流と一緒に小口の排出口２５から外部へ排出される。
【０００４】
一方、微細切粉等が分離されてクリーンな液となったクリーン液は、小口の排出口２５近くで、前記濃縮されたダーティ液の旋回流の反作用によって前記旋回流の中央部に上昇渦流となって濾過部であるサイクロン機構２１の中央部を上昇し、同機構の天井部に配したクリーン液排出管２３から密閉ハウジング２０内に溢れだし、サイクロン機構外部に流下して密閉ハウジング２０の回収口２７から排出して回収する構成としたものである。
しかし、この装置においてもクリーン液中の泡の発生を阻止することはできなかった。
【特許文献１】特開２００３−２１０９０８号公報
【発明の開示】
【発明が解決しようとする課題】
【０００５】
サイクロン型濾過装置については、この泡の発生をいかに少なくするか、或いは泡の発生を阻止することができるサイクロン型濾過装置を提供することができるかが研究課題とされていたが、これを満足するサイクロン型濾過装置はこれまで提供されなかった。
【０００６】
泡の消去は回収したクリーン液に消泡剤を添加することで、泡の発生を防止することも可能である。
しかしながら、消泡剤の添加は、回収したクーラントを再利用する際に、工作機械や加工品に及ぼす悪影響や障害が問題となる。
【０００７】
本発明は上記実情の下で、サイクロン型濾過装置を稼働して、ダーティ液をクリーン液として回収する過程で発生していた泡の発生を阻止させることを可能な装置として、クリーン液の回収作業環境の改善を図ることができる防泡装置を備えたサイクロン型濾過装置を提供することを目的とする。
【課題を解決するための手段】
【０００８】
上記目的を達成するため本発明を構成する防泡装置を備えたサイクロン型濾過装置は、サイクロン型濾過装置のサイクロン機構２１の小口の排出口２５に防泡装置を接続して使用されるもので、防泡装置は次の各構成から成ることを特徴としている。
【発明の効果】
【０００９】
本発明によれば、サイクロン型濾過装置のサイクロン機構２１の下端に設けられた小口の排出口２５に、湾曲部１８ａを形成したホース体１８を連結することにより、そのホース体１８内に前記サイクロン型濾過装置のサイクロン機構２１の小口の排出口２５から旋回流として排出される流体の流れ方向を湾曲部１８ａで強制的に変えることになる。これによって、ホース体１８の湾曲部１８ａで流体の一部の流速、流圧を変え、その結果、流体の流れ状態を変化させることになる。即ち、サイクロン型濾過装置の濾過部であるサイクロン機構２１内に発生するダーティ液の旋回流がその状態を保ってホース体１８内に流れ込み、その流体がホース体１８の湾曲部１８ａを通過する過程でその旋回流が湾曲部で崩されることになる。
そのため、ホース体１８内に流れる流体の旋回流によって生じる負圧が発生することを防止でき、ホース体１８の他方端１９からの空気の進入を防ぐことが可能となる。
その結果、濾過部であるサイクロン機構２１内において上昇渦流として生じるクリーン液と空気とがミキシングされることがなくなり、泡の発生を抑えることができる。
【００１０】
また、ホース体１８の湾曲部１８ａは、ホース体１８内を流れる流体の流れ方向を強制的に変更するだけの構造なので、排出されるダーティ液中に混入される微細切粉が湾曲部１８ａに溜まるようなことはなく、微細切粉を混入したダーティ液を他方端１９から排出させることに支障をきたすようなことはない。
【発明を実施するための最良の形態】
【００１１】
本発明の実施の形態を図面を示して説明する。
図１は本発明に係る防泡装置を装着したサイクロン型濾過装置の断面説明図である。
【００１２】
本発明の防泡装置付サイクロン型濾過装置は、従来のサイクロン型濾過装置に、新たに開発した防泡装置を取り付けて成るものである。
防泡装置は、
（１）防泡装置の本体１は、サイクロン機構２１を内装したハウジング２０下にハウジング２０と連結するもので開口１４を設けた底板１１とサイクロン型濾過装置のハウジング２０内に内装された濾過部であるサイクロン機構２１の下端に設けた小口の排出口２５と連結する連結管１６を配した区画壁１２を平行に配し、該底板と区画壁１２の間に空間部１３を形成する枠体として構成した。
（２）防泡装置の本体１に配した区画壁１２に設けた前記連結管１６には、一端を前記連結管１６に接続する接続具１７を配し、中間に湾曲部１８ａを形成したホース体を接続具１７を以て合体させる構成とした。
（３）前記ホース体１８が前記空間１３内に湾曲部１８ａが位置するように配することで、サイクロン型濾過装置の濾過部であるハウジング２０に内装されたサイクロン機構２１の小口の排出口２５からホース本体１８内に流出する流体の旋回流の流形を湾曲部１８ａで崩す構造とする。
そのサイクロン型濾過装置と防泡装置とは一体型とするか或いは着脱自在型とするかの型式は自由に決めることができる。
【００１３】
サイクロン型濾過装置の構成並びに機能の概要を説明する。
サイクロン型濾過装置においては、ダーティ液をサイクロン型濾過装置の濾過部であるサイクロン機構２１中にダーティ液導入管２２から継続圧入することにより、サイクロン機構２１中でサイクロン機構の下端に設けられた小口の排出口２５に向かった旋回流が生じ、その旋回流によって、ダーティ液中に混入された微細切粉は、ダーティ液中から分離してサイクロン機構２１の内壁側に押しやられ、その微細切粉は旋回流によってサイクロン機構２１の下端に設けられた小口の排出口２５に向かって旋回しながら移行されて集められ、これが旋回流を形成するダーティ液とともに小口の排出口２５から排出される現象を生ずる。
【００１４】
この現象の反作用として微細切粉を分離したダーティ液はクリーン液として、前記ダーティ液による旋回流の中央部をサイクロン機構２１の天井部に設けられたクリーン液排出管２３に向かった上昇渦流となり、これがクリーン液排出管２３から排出される。このクリーン液が上昇渦流としてクリーン液排出管２３から排出されている間中に、その上昇渦流によってサイクロン機構中に負圧状態が発生する。即ち、微細切粉を含んだダーティ液が排出口２５内を旋回し排出する際、その反作用として前記旋回流の中央部に前記クリーン液の上昇渦流により、前記上昇渦流が生じる箇所に空洞化する現象が生じる。そして、この空洞化現象により前記ダーティ液の旋回流の中央部の気圧は低下する。この中央部に大気圧によって外部の空気がサイクロン機構２１の小口の排出口２５から負圧状態となった中央部を通って濾過部であるサイクロン機構２１内に引き込まれる現象が生じる。
この現象が生じると濾過部であるサイクロン機構２１内において、引き込まれた空気と旋回しながら上昇する上昇渦流であるクリーン液とがミキシングされ、クリーン液排出管２３よりクリーン液が外部へ排出されると泡が発生する。
【００１５】
本発明の出願人が開発した図２に示す装置でも密閉ハウジング２０内に収容したサイクロン機構中に前記現象が生じ、クリーン液の回収タンクとなる密閉ハウジング２０内が泡だらけになるとともに、タンク内から溢れ出した泡が飛散して床面やタンク周辺を汚すという問題があった。
【００１６】
本発明は前記した問題を解消するために開発した防泡装置を配備したサイクロン型濾過装置を提供するものである。
防泡装置を取り付けたサイクロン型濾過装置の一例を図１に示す構成のサイクロン型濾過装置２を例にとって説明する。防泡装置１はサイクロン機構２１を内装する密閉ハウジング２０の下端に連結して設けられるものである。防泡装置１の構成は、上端をハウジング２０の下端の連結部２８に連結する連結部１５とし、下端には開口１４を配した底板を配した筒体１０とし、その筒体１０の内側の上端寄りに前記底面１１に対して平行に筒体１０内を上下に区画する区画壁１２を設ける。この構成により筒体１０内は、区画壁１２と底面１１との間に空間部１３が形成されている。
【００１７】
筒体１０内の区画壁１２の中心位置には、貫通孔１６が形成され、この貫通孔１６内には上端を前記したサイクロン型濾過装置のサイクロン機構２１の小口の排出口２５に接続する管状の接続部１７が装着されている。この接続部１７の内壁は、サイクロン型濾過装置２のサイクロン機構２１の小口の排出口２５が密着して内挿される径を有している。
【００１８】
防泡装置の要部の構成について説明する。
前記した接続部１６の下側には、自在に折曲可能となるフレキシブルなワイヤー入りのホース体１８の一方端が接続具１７を以て接続されている。このホース体１８は、前記区画壁１２と底面１１との間に形成された空間部１３内に配置される。このホース体１８の配置状態は、防泡装置本体内に配した区画壁１２と、該本体の底板１１の間の空間部１３内で螺旋状を呈するか、或いは少なくとも一回りに巻回させることでホース体１８の内部を流れる流体に対する抵抗手段としての機能を発揮する湾曲部１８ａを有するものとし、その他方端１９が排口として前記底板と平行となるように配する。
【００１９】
防泡装置の要部の果たす機能について説明する。
防泡装置の要部を構成するホース体１８を湾曲部１８ａを有するように巻回状に配することで、サイクロン型濾過装置の濾過部であるサイクロン機構２１の排出口２５に接続する接続具１７から排出される流体がホース体の内部を流れる際に、湾曲部１８ａが濾過部であるサイクロン機構２１から旋回流として流れ込む流体の流速、流圧、流れ状態を変化させ、この変化がホース体内では旋回流の流動形態が崩され、崩された流体によりホース体内で流体による抵抗手段が構成できるようになっている。そのためホース体内に負圧が生じることなく、他端口１９から空気の進入を防止することができる。
また、ホース体１８の長さは、空間部１３内で少なくとも一つの湾曲部１８ａを有して巻回することができる長さで構成されている。
【００２０】
上記防泡装置付サイクロン型濾過装置の構造によれば、全体液量の３〜７％が異物排出口２５から排出するように設定した場合であっても、ホース体１８が空間部１３内で湾曲部１８ａを有して旋回状に巻回する長さを有して配置されることで、ホース体１８の内部において流体の変化を生じさせることにより、濾過部であるサイクロン機構２１から流れ込む流体の旋回流を変化させ、外気がホース本体内に他端口から侵入するのを遮断する流れとなるので、ホース体１８の他端口１９から空気の進入を防ぐことが可能となり、サイクロン濾過装置の濾過部であるサイクロン機構２１内においてクリーン液と空気とがミキシングされることがなくなり、泡の発生を抑えることができる。
【図面の簡単な説明】
【００２１】
【図１】本発明のサイクロン型濾過装置の断面説明図である。
【図２】従来のサイクロン型濾過装置の構造を示す断面説明図である。
【符号の説明】
【００２２】
１１  底面
１２  区画壁
１３  空間部
１４  開口穴
１５  フランジ部
１６  貫通孔
１７  接続具
１８  ホース体
１８ａ  湾曲部
１９  他端口
２０  密閉ハウジング
２１  サイクロン機構
２１ａ  円柱部
２１ｂ  円錐部
２２  ダーティ液導入管
２３  クリーン液排出管（溢流上昇管）
２５  排出口
２７  回収口
３０  出口バルブ
【図１】
2007253048.tif 000003
【図２】
2007253048.tif 000004